(57)【特許請求の範囲】
【請求項１】
一対の長辺部と一対の短辺部とを有し、断面平形筒状の外装部材と、該外装部材に収容保護される一又は複数本の導電路と、ゴム又はエラストマー製の止水部材と、該止水部材に組み付けられる固定部材とを備え、
前記止水部材には、前記外装部材を挿通する部分として外装部材挿通部を形成し、
該外装部材挿通部の外面には、前記固定部材を取り付ける部分として固定部材取り付け部を形成し、
該固定部材取り付け部には、前記固定部材にて押圧される一対の押圧凸部を前記長辺部の位置に合わせて配置形成し、
前記一対の押圧凸部は、前記外面から外方に突出しており、
前記固定部材取り付け部の、前記一対の押圧凸部の突出方向の端部に合わせた位置及び前記一対の短辺部に合わせた位置の突出部分の４箇所に、前記固定部材が接触する
ことを特徴とするワイヤハーネス。
【請求項２】
請求項１に記載のワイヤハーネスにおいて、
前記長辺部には、補強リブを形成する
ことを特徴とするワイヤハーネス。
【発明の詳細な説明】
【技術分野】
【０００１】
本発明は、導電路を収容保護する外装部材を挿通対象とする止水部材を構成に含むワイヤハーネスに関する。
【背景技術】
【０００２】
例えばハイブリッド自動車や電気自動車に搭載される高電圧の機器間を電気的に接続するためとしてワイヤハーネスが用いられる。近年の動向を見ると、ワイヤハーネスは、配索スペースに配慮された構成及び構造のものが採用される。
【０００３】
下記特許文献１に開示されたワイヤハーネスは、導電路と、この導電路を保護するための合成樹脂製の外装部材とを備えて構成される。ワイヤハーネスは、外装部材に特徴を持たせており、狭いスペースや三次元的な複雑なスペース等に配索する際に有効な構造を有する。すなわち、外装部材は、一対の長辺部を有する断面平形で筒状に形成される。
【先行技術文献】
【特許文献】
【０００４】
【特許文献１】特開２０１０−１２８６８号公報
【発明の概要】
【発明が解決しようとする課題】
【０００５】
特許文献１に開示されたワイヤハーネスの外装部材にあっては、筒状のものであることから端末が開口するように形成される。従って、内部に水分が浸入しないようにするためには、端末に止水部材を取り付けることが有効である。
【０００６】
しかしながら、外装部材に止水部材をただ単に取り付けたのでは、次のような問題点を有する。すなわち、外装部材は、一対の長辺部を有する断面平形筒状に形成されることから、管軸直交方向に長辺部が長くなればこの長辺部の剛性が低くなり、そのため止水部材が接触しても面圧が高くならず、結果、止水性能を十分に確保することができないという問題点を有する。
【０００７】
本発明は、上記した事情に鑑みてなされたもので、止水性能を十分に確保することが可能な止水部材を備えるワイヤハーネスを提供することを課題とする。
【課題を解決するための手段】
【００１１】
上記課題を解決するためになされた請求項１に記載の本発明のワイヤハーネスは、一対の長辺部と一対の短辺部とを有し、断面平形筒状の外装部材と、該外装部材に収容保護される一又は複数本の導電路と、ゴム又はエラストマー製の止水部材と、該止水部材に組み付けられる固定部材とを備え、前記止水部材には、前記外装部材を挿通する部分として外装部材挿通部を形成し、該外装部材挿通部の外面には、前記固定部材を取り付ける部分として固定部材取り付け部を形成し、該固定部材取り付け部には、前記固定部材にて押圧される一対の押圧凸部を前記長辺部の位置に合わせて配置形成し、前記一対の押圧凸部は、前記外面から外方に突出しており、前記固定部材取り付け部の、前記一対の押圧凸部の突出方向の端部に合わせた位置及び前記一対の短辺部に合わせた位置の突出部分の４箇所に、前記固定部材が接触することを特徴とする。
【００１２】
請求項２に記載の本発明は、請求項１に記載のワイヤハーネスにおいて、前記長辺部には、補強リブを形成することを特徴とする。
【発明の効果】
【００１３】
請求項１に記載された本発明によれば、外装部材を挿通した状態で固定部材を外装部材挿通部の固定部材取り付け部に取り付けると、この固定部材取り付け部の押圧凸部が固定部材にて押圧され、そして、外装部材挿通部の内面が外装部材の長辺部を押圧するような状態で密着する。従って、本発明によれば、外装部材の長辺部に対する外装部材挿通部の面圧を高めることができ、以て止水性能を十分に確保することができるという効果を奏する。
【００１７】
請求項２に記載された本発明によれば、請求項１の効果に加え次のような効果を更に奏する。すなわち、外装部材の長辺部に補強リブを形成することから、変形し難くすることができ、以て止水性能を向上させることができるという効果を奏する。
【図面の簡単な説明】
【００１８】
【図１】本発明のワイヤハーネスの構成を示す断面図である。
【図２】図１の外装部材及び止水部材を示す斜視図である。
【図３】図１の外装部材及び導電路を示す断面図である。
【図４】図２の外装部材の図であり、（ａ）は矢印Ａ方向から見た図、（ｂ）は矢印Ｂ方向から見た図である。
【図５】図４の外装部材の図であり、（ａ）はＣ−Ｃ線断面図、（ｂ）はＤ−Ｄ線断面図である。
【図６】（ａ）及び（ｂ）は押圧凸部の変形例を示す断面図である。
【発明を実施するための形態】
【００１９】
ワイヤハーネスは、一対の長辺部を有し断面平形筒状の外装部材と、この外装部材に収容保護される一又は複数本の電線と、ゴム又はエラストマー製の止水部材と、この止水部材に組み付けられる結束バンドとを備えて構成される。止水部材は、コネクタブーツやグロメットであり、外装部材挿通部を有する。外装部材挿通部の外面には、結束バンドを取り付ける部分としてバンド取り付け部が形成される。このバンド取り付け部には、結束バンドにて押圧される一対の押圧凸部が形成される。一対の押圧凸部は、外装部材の長辺部の位置に合わせて配置形成される。長辺部には、補強リブが形成される。
【実施例１】
【００２０】
以下、図面を参照しながら実施例を説明する。図１は本発明のワイヤハーネスの構成を示す断面図である。また、図２は図１の外装部材及び止水部材を示す斜視図、図３は図１の外装部材及び導電路を示す断面図である。また、図４は図２の外装部材の図であり、（ａ）は矢印Ａ方向から見た図、（ｂ）は矢印Ｂ方向から見た図である。また、図５は図４の外装部材の図であり、（ａ）はＣ−Ｃ線断面図、（ｂ）はＤ−Ｄ線断面図である。また、図６（ａ）及び（ｂ）は押圧凸部の変形例を示す断面図である。
【００２１】
＜ワイヤハーネス１について＞
図１において、ワイヤハーネス１は、外装部材２と、この外装部材２に収容保護される三本の電線３（導電路）と、電線３の端末に設けられる図示しないコネクタや端子金具と、ゴム又はエラストマー製の止水部材４と、この止水部材４に組み付けられる結束バンド５（固定部材）とを備えて構成される。止水部材４に関し、ワイヤハーネス１の端末に設けられる場合は、例えばコネクタブーツである。また、ワイヤハーネス１の中間に設けられる場合は、例えばグロメットである。本発明は、以下の説明から分かるようになるが、止水性能を十分に確保することができる構成及び構造を有する。
【００２２】
＜外装部材２について＞
図１ないし図３において、外装部材２は、樹脂成形にて一本の真っ直ぐな筒状（管体）に形成される（使用前は真っ直ぐである。尚、樹脂製に限らず金属製であってもよいものとする）。また、外装部材２は、断面平形に形成される。具体的には、一対の長辺部６と、一対の短辺部７とを有する形状に形成される。一対の長辺部６は、長さＬの真っ直ぐな壁として形成される。一方、一対の短辺部７は、本実施例において、円弧状に湾曲する壁として形成される（真っ直ぐであってもよいものとする）。一対の長辺部６及び短辺部７は、所定の間隔をあけて配置される。尚、この間隔は、電線３の本数やサイズに応じて適宜設定されるものとする。
【００２３】
外装部材２は、一対の長辺部６が真っ直ぐな壁として形成されることから、長さＬを比較的長く設定してしまうと、例えば内側に向けて反ってしまうという虞がある。反りは、止水部材４との間に隙間を生じさせてしまうことから、本発明では外装部材２の外面に補強リブ８が複数形成される。補強リブ８は、低く突出し且つ周方向にのびる形状に形成される。補強リブ８は、少なくとも止水部材４に対し挿通される部分に形成される。尚、補強リブ８は環状に限らず、一対の長辺部６だけに存在するよう形成されてもよいものとする。このような外装部材２には、上記の如く三本の電線３が収容保護される。
【００２４】
＜電線３について＞
図１及び図３において、電線３は、導電性の導体と、この導体を被覆する絶縁性の絶縁体とを備えて構成される。導体は、銅や銅合金、或いはアルミニウムやアルミニウム合金により断面円形に形成される。導体に関しては、素線を撚り合わせてなる導体構造のものや、断面矩形又は円形（丸形）になる棒状の導体構造（例えば平角単心や丸単心となる導体構造であり、この場合、電線自体も棒状となる）のもののいずれであってもよいものとする。以上のような導体は、この外面に絶縁性の樹脂材料からなる絶縁体が押出成形される。
【００２５】
絶縁体は、熱可塑性樹脂材料を用いて導体の外周面に押出成形される。絶縁体は、断面円形状の被覆として形成される。絶縁体は、所定の厚みを有して形成される。上記熱可塑性樹脂としては、公知の様々な種類のものが使用可能であり、例えばポリ塩化ビニル樹脂やポリエチレン樹脂、ポリプロピレン樹脂などの高分子材料から適宜選択される。
【００２６】
尚、特許請求の範囲に記載された導電路は、高電圧用や低電圧用の電線３に限らず、公知のシールド電線であってもよいものとする。また、例えばバスバーに絶縁体を被覆してなるもの等であってもよいものとする。
【００２７】
＜止水部材４について＞
図１、図２、図４、及び図５において、止水部材４は、上記の如くグロメットやコネクタブーツであり、ゴム又はエラストマー製のものであることから、弾力性と伸長性とを有する。このような止水部材４には、外装部材挿通部９と、外装部材挿通部９に連続するブーツ部１０とが形成される。
【００２８】
＜外装部材挿通部９について＞
図２及び図４において、外装部材挿通部９は、外装部材２を挿通する部分として形成される。外装部材挿通部９は、断面長円形で筒状の部分に形成される（又は、外装部材２の断面形状に合う筒状の部分に形成される）。また、この大きさが外装部材２よりも小さくなるように形成される（図２参照）。外装部材挿通部９は、筒状に形成されることから、端部１１と、外面１２と、内面１３とを有する。
【００２９】
＜バンド取り付け部１４について＞
外装部材挿通部９の外面１２において、端部１１から管軸方向に所定長さ離れた位置には（外面１２の中間位置には）、結束バンド５を取り付ける部分としてバンド取り付け部１４（固定部材取り付け部）が形成される。このバンド取り付け部１４には、結束バンド５の取付位置を規制する一対の第一位置規制部１５（位置規制部）と、一対の第二位置規制部１６（位置規制部）とが形成される。また、バンド取り付け部１４には、結束バンド５により押圧される一対の押圧凸部１７が形成される。
【００３０】
＜第一位置規制部１５について＞
図１、図２、図４、及び図５において、第一位置規制部１５は、少なくとも結束バンド５の幅分の間隔をあけて対向するように配置形成される。一対の第一位置規制部１５は、外面１２から外方に突出してこれが全周にわたるようなフランジ形状に形成される。一対の第一位置規制部１５は、上記の如く結束バンド５の取付位置を規制する部分として、また、位置ズレ・脱落を規制する部分として形成される。
【００３１】
＜第二位置規制部１６について＞
図１、図２、図４、及び図５において、一対の第二位置規制部１６は、一対の第一位置規制部１５における突出先端の一部を繋ぐような部分として形成される。具体的には、ブリッジ状の部分に形成される。このような一対の第二位置規制部１６は、後述する一対の押圧凸部１７に対し９０度ずれた位置に配置形成される。一対の第二位置規制部１６は、一対の第一位置規制部１５と同様に結束バンド５の位置ズレを規制する部分として、また、脱落を規制する部分として形成される。
【００３２】
＜押圧凸部１７について＞
図１、図２、図４、及び図５において、一対の押圧凸部１７は、外面１２から外方に突出する部分として形成される。具体的には、矩形で中実の突出部分に形成される。このような一対の押圧凸部１７は、外装部材２の長辺部６（図１ないし図３参照）の位置に合わせて配置形成される。一対の押圧凸部１７は、外装部材挿通部９の管軸を中心にして回転対称位置に配置形成される。一対の押圧凸部１７は、結束バンド５の取り付け（巻き付け）に伴い押圧される部分に形成される。一対の押圧凸部１７は、一対の第一位置規制部１５よりも低く形成される。また、一対の第一位置規制部１５の側部に一体化するように形成される。
【００３３】
＜押圧凸部１７の変形例について＞
尚、一対の押圧凸部１７は、図６（ａ）及び（ｂ）に示すような形状であってもよいものとする。すなわち、長辺部分全体の肉厚をアップさせる形状や、山形に突出させる形状等であってもよいものとする。
【００３４】
＜リップ部１８について＞
図２及び図５において、外装部材挿通部９の内面１３には、シール部分としてのリップ部１８が複数形成される。リップ部１８は、内面１３から内方に突出してこれが全周にのびる小さな凸形状に形成される。また、リップ部１８は、内面１３の端部から外装部材挿通部９の管軸に沿って所定の間隔をあけて配置形成される。本実施例においては、リップ部１８が五つ形成される。
【００３５】
＜ブーツ部１０について＞
図２及び図４において、ブーツ部１０は、外装部材挿通部９よりも膨出する形状に形成される。また、ブーツ部１０は、曲げ可能な蛇腹管形状に形成される。
【００３６】
＜止水状態について＞
上記構成及び構造において、図示しない治具を用いて外装部材挿通部９の内部空間を広げる拡張作業を行うと、三本の電線３を収容保護した状態の外装部材２をスムーズに挿通することができる。そして、上記治具を取り外すと、外装部材挿通部９は外装部材２に対し密着する。具体的には、外装部材２の相対向する一対の長辺部６及び一対の短辺部７に対し外装部材挿通部９の内面１３（リップ部１８）が密着する。
【００３７】
この後、バンド取り付け部１４に結束バンド５を取り付けると（巻き付け固定すると）、この作用により外装部材２の相対向する一対の長辺部６及び一対の短辺部７に対する外装部材挿通部９の内面１３（リップ部１８）の密着状態が維持される。また、一対の押圧凸部１７が結束バンド５により押圧されることから、外装部材挿通部９の内面１３（リップ部１８）が一対の長辺部６に対し押圧するような状態で密着する。
【００３８】
＜本発明のまとめ及び効果について＞
以上、図１ないし図６を参照しながら説明してきたように、ワイヤハーネス１は、一対の長辺部６を有し断面平形筒状の外装部材２と、この外装部材２に収容保護される三本の電線３（導電路）と、ゴム又はエラストマー製の止水部材４と、この止水部材４に組み付けられる結束バンド５（固定部材）とを備えて構成される。
【００３９】
止水部材４は、コネクタブーツやグロメットであり、外装部材挿通部９を有する。外装部材挿通部９の外面１２には、結束バンド５を取り付ける部分としてバンド取り付け部１４（固定部材取り付け部）が形成される。このバンド取り付け部１４には、結束バンド５にて押圧される一対の押圧凸部１７が形成される。一対の押圧凸部１７は、外装部材２の長辺部６の位置に合わせて配置形成される。外装部材２には、長辺部６を補強する部分として補強リブ８が形成される。外装部材挿通部９の内面１３には、リップ部１８が複数形成される。
【００４０】
従って、本発明によれば、上記構成及び構造であることから外装部材２の一対の長辺部６に対する外装部材挿通部９の面圧を高めることができ、以て止水性能を十分に確保することができるという効果を奏する。
【００４１】
本発明は本発明の主旨を変えない範囲で種々変更実施可能なことは勿論である。
【符号の説明】
【００４２】
１…ワイヤハーネス、  ２…外装部材、  ３…電線（導電路）、  ４…止水部材、  ５…結束バンド（固定部材）、  ６…長辺部、  ７…短辺部、  ８…補強リブ、  ９…外装部材挿通部、  １０…ブーツ部、  １１…端部、  １２…外面、  １３…内面、  １４…バンド取り付け部（固定部材取り付け部）、  １５…第一位置規制部（位置規制部）、  １６…第二位置規制部（位置規制部）、  １７…押圧凸部、  １８…リップ部
【図１】
0006685099.tif 000002
【図２】
0006685099.tif 000003
【図３】
0006685099.tif 000004
【図４】
0006685099.tif 000005
【図５】
0006685099.tif 000006
【図６】
0006685099.tif 000007